(57)【特許請求の範囲】
【請求項１】
保護管と、前記保護管の内部に配置され、上端にＴ字グリップが取り付けられ、下端に弁が取り付けられた弁棒と、前記保護管の下端に配置され、前記弁が着座する弁座を有するＴ字管と、前記Ｔ字管の一方の水平管に接続された呑口管と、前記Ｔ字管の他方の水平管に接続された吐口管とを備えた竪管式水平水閘であって、
前記Ｔ字グリップが、前記弁棒に固定された垂直部と、垂直部の上端から互いに反対方向に延びた水平部とを有し、
前記水平部の両端に、外方に引っ張り出すことができる支持ボルトがそれぞれ配置されており、
前記保護管の上端の直径方向に対向した箇所に、前記支持ボルトを引っ掛けるための一対の切欠きが設けられており、
止水時に、前記弁棒を降下させて弁を弁座に着座させ、排水時に、前記弁棒を上昇させ、前記支持ボルトを外方に引っ張り出して前記切欠きにそれぞれ引っ掛けて弁の開放状態を維持するように構成されていることを特徴とする水閘。
【請求項２】
前記支持ボルトが、頭部と軸部とからなるボルト部と、前記軸部に挿入されるナット部とを有しており、前記軸部の頭部に隣接した箇所に雄ねじが形成され、前記ボルト部が前記ナット部から脱落するのを防止するためのＣリングが前記軸部の先端に取り付けられており、前記ナット部を前記Ｔ字グリップの前記水平部に固定し、前記ボルト部を回転させることにより、支持ボルトを外方に引っ張り出したり内方に収容したりするように構成されていることを特徴とする請求項１に記載の水閘。
【請求項３】
前記Ｔ字グリップの前記水平部が、円筒形の管部材で形成されており、前記ナット部の径が、前記水平部の内径と同等か或いは僅かに大きくなるように選定されており、前記水平部内に前記ナット部を打ち込むことにより、前記ナット部が前記水平部に締まり嵌めされるように構成されていることを特徴とする請求項２に記載の水閘。
【発明の詳細な説明】
【技術分野】
【０００１】
本発明は一般に、竪管式水平水閘に関する。より詳細には、本発明は、止水状態を確実に保持することができる竪管式水平水閘に関する。
【背景技術】
【０００２】
農地の排水方法として、地中に暗渠を埋設して排水路とする暗渠排水が広く普及している。一方、農地の水位を調整する設備として、水閘が知られている。図９は、一般に竪管式水平水閘と呼ばれている水閘の一例を示した模式図である。図９に示される竪管式水平水閘３０では、下端に弁３６が取り付けられた弁棒３４が、保護管３２内に配置され、弁棒３４の上端３４ａが保護管３２の上端から上方に突出している。保護管３２の下端に配置されたＴ字管３８の一方に排口管（図示せず）が取り付けられ、他方に呑口管（図示せず）が取り付けられている。そして、春季から秋季にかけては、弁棒３４を降下させて弁３６を弁座３８ａに接触させ、止水状態にする。秋の収穫時には、弁棒３４を上昇させて弁３６を開放し、排水状態にする。また、冬季間には、弁棒３４を上昇させて弁３６を開放しておく。
【発明の開示】
【発明が解決しようとする課題】
【０００３】
しかしながら、上述の水閘では、冬季間の雪の重みで弁棒が落下し、止水状態にしてしまうおそれがある。また、止水時には、弁棒が保護管から上方に突出するので、引っ掛ける等して弁棒を破損させてしまうおそれもある。さらに、弁棒が保護管から突出していると、草刈り等をする際に邪魔になるというおそれもある。
【０００４】
本発明は、従来技術における竪管式水平水閘の上述のような課題を克服すべく開発されたものであって、止水状態を確実に保持できるとともに、止水状態でも邪魔にならない竪管式水平水閘を提供することを目的としている。
【課題を解決するための手段】
【０００５】
本願請求項１に記載の竪管式水平水閘は、保護管と、前記保護管の内部に配置され、上端にＴ字グリップが取り付けられ、下端に弁が取り付けられた弁棒と、前記保護管の下端に配置され、前記弁が着座する弁座を有するＴ字管と、前記Ｔ字管の一方の水平管に接続された呑口管と、前記Ｔ字管の他方の水平管に接続された吐口管とを備え、前記Ｔ字グリップが、前記弁棒に固定された垂直部と、垂直部の上端から互いに反対方向に延びた水平部とを有し、前記水平部の両端に、外方に引っ張り出すことができる支持ボルトがそれぞれ配置されており、前記保護管の上端の直径方向に対向した箇所に、前記支持ボルトを引っ掛けるための一対の切欠きが設けられており、止水時に、前記弁棒を降下させて弁を弁座に着座させ、排水時に、前記弁棒を上昇させ、前記支持ボルトを外方に引っ張り出して前記切欠きにそれぞれ引っ掛けて弁の開放状態を維持するように構成されていることを特徴とするものである。
【０００６】
本願請求項２に記載の竪管式水平水閘は、前記請求項１の水閘において、前記支持ボルトが、頭部と軸部とからなるボルト部と、前記軸部に挿入されるナット部とを有しており、前記軸部の頭部に隣接した箇所に雄ねじが形成され、前記ボルト部が前記ナット部から脱落するのを防止するためのＣリングが前記軸部の先端に取り付けられており、前記ナット部を前記Ｔ字グリップの前記水平部に固定し、前記ボルト部を回転させることにより、支持ボルトを外方に引っ張り出したり内方に収容したりするように構成されていることを特徴とするものである。
【０００７】
本願請求項３に記載の竪管式水平水閘は、前記請求項２の水閘において、前記Ｔ字グリップの前記水平部が、円筒形の管部材で形成されており、前記ナット部の径が、前記水平部の内径と同等か或いは僅かに大きくなるように選定されており、前記水平部内に前記ナット部を打ち込むことにより、前記ナット部が前記水平部に締まり嵌めされるように構成されていることを特徴とするものである。
【発明の効果】
【０００８】
本発明によれば、排水状態において、雪の重み等で弁棒が落下して止水状態になるおそれはない。また、排水状態において弁棒が保護管から上方に突出していないので、弁棒を破損させたり、農作業の邪魔になるおそれもない。さらに、本願請求項３に記載の水閘では、支持ボルトを容易かつ堅固にＴ字グリップに固定することができる。
【発明を実施するための最良の形態】
【０００９】
次に、図面を参照して、本発明の好ましい実施の形態に係る竪管式水平水閘について詳細に説明する。図１は、本発明の好ましい実施の形態に係る竪管式水平水閘の排水状態を示した概略図であり、図２は、図１の竪管式水平水閘が設置されている状態を示した模式図である。
【００１０】
図１および図２において全体として参照符号１０で示される本発明の好ましい実施の形態に係る竪管式水平水閘は、保護管１２を備えている。保護管１２は、円筒形の管であり、塩化ビニル等の合成樹脂材料で形成されている。
【００１１】
保護管１２の内部には、弁棒１４が配置されている。弁棒１４は通常、円筒形の管部材であり、塩化ビニル等の合成樹脂材料で形成されている。弁棒１４の上半部には、複数の水位調整孔（図示せず）が設けられているとともに、弁棒１４の外径と略同じ内径を有する水位調整カラー１６が嵌め込まれている。そして、水位調整カラー１６を上下動させて水位調整孔を露出／閉鎖することにより、水位を調整するようになっている。なお、このような水位調整機構は、公知の手段である。
【００１２】
弁棒１４の上端には、Ｔ字グリップ１８が堅固に取り付けられている。Ｔ字グリップ１８は、円筒形の管部材でそれぞれ形成されている水平部１８ａおよび垂直部１８ｂからなり、全体としてＴ字形状を有している。Ｔ字グリップ１８の水平部１８ａおよび垂直部１８ｂは、塩化ビニル等の合成樹脂材料で形成されている。
【００１３】
Ｔ字グリップ１８の水平部１８ａの両端には、支持ボルト２０がそれぞれ配置されている。支持ボルト２０は、図６に最も良く示されるように、ボルト部２０ａと、ナット部２０ｂとを有している。ボルト部２０ａは、頭部２０ａ１と軸部２０ａ２からなり、軸部２０ａの頭部２０ａ１に隣接した箇所には、雄ねじ２０ａ３が形成されている。ボルト部２０ａの軸部２０ａ２にナット部２０ｂが挿入されており、軸部２０ａの先端には、ボルト部２０ａがナット部２０ｂから脱落しないようにするため、Ｃリング２０ｃが取り付けられている。
【００１４】
なお、ナット部２０ｂの径は、Ｔ字グリップ１８の水平部１８ａの内径と同等か或いは僅かに大きくなるように選定されている。これにより、水平部１８ａ内にナット部２０ｂを打ち込むことにより、ナット部２０ｂが水平部１８ａに締まり嵌めされ、容易かつ堅固に支持ボルト２０をＴ字グリップ１８に固定することができる。
【００１５】
保護管１２の上端には、直径方向に対向した箇所に、Ｔ字グリップ１８の水平部１８ａを引っ掛けるための一対の切欠き１２ａが設けられている。これにより、詳細には後述するように、弁棒１４を引き上げたときに、支持ボルト２０を外方に張り出させて切欠き１２ａに引っ掛けることができるようになっている（図４参照）。
【００１６】
弁棒１４の下端には、弁２２が取り付けられており、弁２２には、確実に止水することができるようにＯ−リングが取り付けられている。
【００１７】
保護管１２の下端には、Ｔ字管２４が配置されている。Ｔ字管２４は、側面視で逆Ｔ字形状を有しており、その垂直管２４ａに、保護管１２の下端が嵌め込まれている。また、Ｔ字管２４の一方の水平管２４ｂは、呑口管および接続ソケットを介して暗渠排水管に接続されており、Ｔ字管２４の他方の水平管２４ｃは、吐口管に接続されている。なお、Ｔ字管２４の内部には、弁２２が着座する弁座２４ｄが設けられている。
【００１８】
図８は、保護管１２に蓋２６を示した図である。蓋２６は好ましくは、ゴムなどで形成されており、蓋２６を取り外した際に紛失しないように、連結具２６ａを介して、保護管１２の上端に連結されている。なお、図８（ａ）は、保護管１２に蓋２６を被せた状態、図８（ｂ）は、保護管１２から蓋２６を取り外した状態を示した図である。
【００１９】
以上のように構成されている本発明の竪管式水平水閘１０の使用法について説明する。春季から秋季にかけての止水状態においては、弁棒１４を降下させて弁２０を弁座２４ｄに接触させておく。その際、保護管１２内に異物が入らないように、保護管１２の上端を蓋２６で閉鎖しておく。水閘１０を排水状態（例えば、収穫期や冬季）にしようとする場合には、蓋２６を取り外し、弁棒１４を上昇させ、支持ボルト２０を回転させて外方に引っ張り出し、切欠き１２ａに引っ掛けて、弁２２を開放状態に維持することができる。そして、このように弁２２を開放状態にした後、保護管１２の上端に蓋２６を被せておく。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２１】
【図１】本発明の好ましい実施の形態に係る竪管式水平水閘の排水状態を示した断面図である。
【図２】図１の竪管式水平水閘が設置されている状態を示した模式図である。
【図３】図１の部分３についての拡大図である。
【図４】図３に示した箇所の斜視図である。
【図５】Ｔ字グリップを示した拡大図である。
【図６】支持ボルトを示した斜視図である。
【図７】図１の竪管式水平水閘の止水状態を示した断面図である。
【図８】図８（ａ）は保護管に蓋を被せた状態を示した図、図８（ｂ）は保護管から蓋を取り外した状態を示した図である。
【図９】従来の竪管式水平水閘を示した断面図である。
【符号の説明】
【００２２】
１０  竪管式水平水閘
１２  保護管
１４  弁棒
１８  Ｔ字グリップ
２０  支持ボルト
２２  弁
２４  Ｔ字管
２６  蓋
【図１】
0004745103.tif 000002
【図２】
0004745103.tif 000003
【図３】
0004745103.tif 000004
【図４】
0004745103.tif 000005
【図５】
0004745103.tif 000006
【図６】
0004745103.tif 000007
【図７】
0004745103.tif 000008
【図８】
0004745103.tif 000009
【図９】
0004745103.tif 000010